Podtech/llm-jp-corpus-v4-ja_patent huggingface dataset:
(57)【要約】【課題】  ウイルス感染防止の手段として不織布マスクは必需品です。そのマスクにはウイルスの侵入を完全に遮断可能な性能が求められます。しかし、人が呼吸する以上は完全な遮断は不可能です。少しでも完全遮断に近づける為には、マスクを製造する部材の選択が大変重要です。適切な部材を使用して製造されたマスクを感染防止器具として人々が装着することが大事です。【解決手段】  現在はマスク製造の部材として不織布が主流に成っています。しかし、品質と性能には不確実なものがたくさん有ります。そこで生物学と工科学において、ミクロ粒子の遮断性能や吸着捕捉の検査試験にて、不織布の性能が実証証明されて、電界分極性の保持加工を施した不織布を部材として使用する。【特許請求の範囲】
【請求項１】
不織布積層式マスクの部材として、ポリエステルを主原料とする不織布に、電界分極性を半恒久的に保持できるように加工を施した不織布を部材として２枚使用する。電界分極性不織布の積層配置は第２層目と第４層目に配置する。
【発明の詳細な説明】
【技術分野】
【０００１】  本発明は、ウイルスが人体へ侵入することの遮断効果を高める不織布積層式衛生マスクに関するものである。
【背景技術】
【０００２】  従来から、マスクの使用目的は人を介してのウイルス飛沫感染や空気感染ならびに、本人のくしゃみ等によるウイルスの二次飛散感染防止を目的に、手軽に入手可能な不織布マスクやガーゼマスクが使用されています。【０００３】  近年は、新型インフルエンザ（鳥インフルエンザ）の世界的大流行の発生が世界各国の社会問題になっており、感染予防ワクチンの開発が急がれています。しかし、予防ワクチンの開発は遅れております。その期間も新型インフルエンザ感染の大流行は確実視されており、ウイルス感染防止マスクの必要性と重要性が再認識されております。【０００４】  ウイルス感染防止のための不織布マスクは最重要手段である。この事を考えれば、ウイルスの人体への侵入を阻止する遮断（捕捉）率を高めた不織布マスクの必要が有ります。【０００５】  従来から、不織布マスクのウイルス遮断率（捕捉率）を高める方法ガ考案されて製品化されている。【０００６】  第一の方法は、数種類の不織布を多層に重ねる。【０００７】  第二の方法は、自然発生する静電気を利用して侵入するウイルスを吸着捕捉させる。【０００８】  第三の方法は、不織布に薬剤の塗布を施してマスク内に侵入したウイルスを不活化（殺菌）する等の機能を付与したものが提案されている。
【先行技術文献】
【特許文献１】  特開２０００−１９７７１１公報
【発明の概要】
【発明が解決しようとする課題】
【０００９】  上述した、人体へウイルス侵入の遮断率を高める方法には、それぞれに問題点が有ります。【００１０】  第一の方法は、特殊加工していない不織布はウイルス遮断率が低いので、積層数を増やさないと遮断効果は発揮できないが積層数にも限度が有ります。その理由としては呼吸が困難になります。【００１１】  第二の方法は、自然発生する静電気を利用して、ミクロ粒子を吸着させる方法では、呼気による湿度や環境条件よって、静電気は発生や消滅を繰り返し、ウイルスを吸着捕捉させる事は不確実です。【００１２】  第三の方法は、不織布に薬剤の塗布や浸透させて、ウイルスを不活可（殺菌）させる方法の問題点は、ウイルスが薬剤によって不活化したかを確認する実験の段階では、ウイルスが薬剤塗布から３０分後は完全に死滅したという結果が得られても、マスク装着時の呼気による空気の流動速度は瞬間的であり、ウイルスが死滅する以前に、ウイルスは人体に取り入れられます。故に、ウイルス感染の防止は不可能です。【００１３】  本発明は、上述の遮断効率を高める方法の問題点を解決して、ウイルスの人体への侵入を阻止するための遮断効率を高めて、ウイルス感染防止効果を上げる事を目的とするものです。
【課題を解決するための手段】
【００１４】  多層式マスクの部材として、ポリエステルを主な原材料とする不織布を積層します。積層枚数は５層で構成し、その中の２層は電界分極性特殊不織布を使用することが、本発明の重要な点です。【００１５】  上述の、電界分極性特殊不織布とは、磁石が金属を吸着する特性と同様に、不織布が半恒久的に電界分極層を形成して、湿度や環境の影響を受けずにミクロ粒子を半恒久的に吸着捕捉するように研究開発された特殊加工不織布です。【００１６】  上述の、５層式マスク用部材の不織布は、外側より１層ごとにそれぞれの特性を生かして構成します。【００１７】  第１層目は不織布の目が極細で液体が浸透しない液体不浸透性不織布を使用します。【００１８】  第２層目は電界分極性特殊不織布を使用します。【００１９】  第３層目は目が細かく柔軟性のある抗菌不織布を使用します。【００２０】  第４層目は第２層目と同じく電界分極性特殊不織布を使用します。【００２１】  第５層目は第１層目と比較して、少し目が粗い不織布を使用します。
【発明の効果】
【００２２】  上述の、第１層目は液体不浸透性不織布により、ウイルスの大半は侵入を遮断されます。まれに侵入したウイルスも、第２層目の電界分極性特殊不織布が強力に吸着捕捉します。第３層目には、ウイルスの侵入はほぼ不可能ですが、抗菌不織布を使用することで、ウイルスの増殖を防止します。
第４層目にウイルスが侵入したとしても確実に電界分極性特殊不織布が吸着捕捉します。第５層目の不織布は、目が少し粗く柔軟性が有ります。この部分は直接口に接触する部分であり、呼気による水分を逃がして不快感を軽減する為の部材になります。故に、特殊不織布の積層配置に電界分極性不織布を積層式マスクの部材に加える事により、人体へのウイルス飛沫感染や空気感染の防止効果が飛躍的に期待できます。
(57)【要約】【課題】女性が不安に感じている下着や使用済み生理用品などプライバシーにかかわるゴミを安心して捨てるために提供する。【解決手段】他人の目に触れさせたくないゴミに、塗料や着色した接着剤を付着させることで着色して外観を覆い隠し粘性や接着性により下着や生理用品などプライバシーにかかわるゴミの形状や質感を分からなくすることで、安心して捨てることができる。【特許請求の範囲】
【請求項１】
下着や使用済み生理用品などプライバシーにかかわるゴミの外観、形状や質感を分からなくする特徴をもち、安心してゴミとして捨てられるように使用するプライバシー保護を目的とした効果的な色をもつ塗料や接着剤。
【発明の詳細な説明】
【技術分野】
【０００１】本発明は、捨てる事を不安に感じるような他人に見られたくないゴミのプライバシーを守りながら安心して捨てるための方法に関する。
【背景技術】
【０００２】他人に見られたくないゴミ、特に女性は下着や生理用品を捨てるときにハサミで切り新聞紙で包むなどしても不安を感じながら捨てていた。【０００３】約２０年前に友人の女性から下着を捨てる不安と大変さを聞き、最近になり同じ悩みを耳にしたことから、長い年月が過ぎても有効な手段がなく不安な思いが続いているために何か良い方法はないものかと発明したものである。【０００４】カラスなどの動物がゴミ集積場のゴミ袋を破りゴミ内容物が露呈してしまう心配がある。
【先行技術文献】
【特許文献】
【０００５】
【特許文献１】特開２００３−５４６６４号広報
【特許文献２】特開２００７−９８０７２号広報
【特許文献３】特開２００２−１７３４０１号広報
【発明の概要】
【発明が解決しようとする課題】
【０００６】女性が下着や使用済み生理用品などを捨てるときに、ハサミで小さく切断し厳重に新聞紙などで包んでもなお感じている不安をなくすことを課題とする。【０００７】カラスなどの動物がゴミ収集場所のゴミ袋を破いてしまい、ゴミ内容物が通行人に見えてしまう心配があり、特定の見られたくないゴミに対して簡単な処理にて外観や形状を分からなくすることを課題とする。
【課題を解決するための手段】
【０００８】塗料や着色した接着剤、糊などをゴミに付着させ覆うことで、ハサミで切っただけでは隠しきれない下着の柄などの外観を隠すことを特徴とする。【０００９】使用する液体の粘性や接着性などの特性により、布地などの形状や質感も分からなくすることを特徴とする。
【発明の効果】
【００１０】従来、女性が下着や使用済み生理用品を捨てるときに感じていた不安を、塗料や着色した接着剤を付着させることで着色して外観を覆い隠し、接着性などの特性により形状や質感すらも分からなくする特徴をもち、安心して捨てることができるようになる。【００１１】女性だけでなく男性のプライバシーにかかわるゴミや、文字の読めてしまう程度に切断された書類などにも有効である。【００１２】ゴミとして廃棄するものに使用する塗料や接着剤であるから、塗装のように仕上がりの外観や、組み立て使用時に問題となる接着面の剥離は問題にならず安価なグレードの材料にて製造し、材料コストを抑えて提供できる。
【発明を実施するための形態】
【００１３】袋に下着や使用済み生理用品などのゴミを入れ、ゴミの色合いなどを隠せるように着色した接着剤や塗料を入れ、袋の中で全体的に付着させる。
【００１４】塗料や接着剤、糊などの液体を容器からそのまま袋に注ぎ込む方法の他にスプレーでもよいが、塗装に使用する通常のスプレーを使用したのでは細かな霧状の噴霧で舞い上がってしまう、そこで噴射粒子が大きく、噴射範囲の狭い、舞い上がらりにくいスプレーがよい。
【００１５】室内で使用することを考えると刺激臭の少ない塗料や接着剤などが好ましい、香りを付けるならば動物の嫌う香りを付けることによりゴミ収集場所での動物によるゴミ袋を破かれる被害の心配も軽減する効果が期待できる。
【実施例】
【００１６】液漏れしない小さめの袋に下着や使用済み生理用品などのゴミを入れ、本発明を注ぎ込む又はスプレーにて袋の中で全体的に付着させる、袋の口を縛り、その他のゴミと一緒に地域指定のゴミ袋に入れて収集場所に捨てる。
【産業上の利用可能性】
【００１７】女性の下着や生理用品などのゴミに限らず、プライバシーにかかわるゴミやシュレッダーやハサミなどで切断しても文字が残っている書類などにも効果的である。【００１８】本発明の材料となる塗料や接着剤は、仕上がりの外観や、接着強度を必要としないので通常の塗装や接着剤としては不向きな安価なグレードの材料でも利用可能であり製造段階での材料選択肢がひろい。
(57)【要約】【課題】  本発明は、ハートの形に形成したハート型の枕を提供する。【解決手段】  楕円形袋の一部分をＶ字に切り込みハートの形に成形し、切り込んだ部分の頂点、左右が両肩に当たるようにしたことによって頭の位置が決まり大変具合よい。切り込み部分に厚みを持たせ、先端部分は自然に厚みを減らす。枕の具材は、スポンジ、綿花、ポリエステル綿等にしたことを、特徴とするハート型の枕。【選択図】図１
2010201134.tif 000002
【特許請求の範囲】
【請求項１】
（イ）楕円形袋の一部分をＶ字に切り込みハートの形に成形し、切り込んだ部分の頂点、    左右が両肩に当たるようにしたことによって頭の位置が決まり大変具合がよい。
（ロ）切り込み部分に厚みを持たせ、先端部分は自然に厚みを減らす。
（ハ）枕の具材は、スポンジ、綿花、ポリエステル綿等にする。
以上のように構成されたハート型の枕。
【発明の詳細な説明】
【技術分野】
【０００１】  本発明は、ハート型に立体型成したハート型の枕に関するものである。
【背景技術】
【０００２】  従来の枕の形状は、立体化した長方形、または、立体長方形の上面を波形に成形した枕があった。
あるいは、形状棒状の枕があった。
【発明の開示】
【発明が解決しようとする課題】
【０００３】  これは次のような欠点があった。
（イ）枕と頭、首の高さが合わなかった。
（ロ）首、肩に負担がかかった。
（ハ）横向寝のとき、腕、手、指先にも負担がかかった。
（二）常に寝返りし寝疲れすることが多かった。
（ホ）寝付きが悪く、朝の目覚めが悪かった。
（ヘ）冬には、枕と布団のすき間から冷えを感じた。
（ト）寝起きの爽快感がなかった。
本発明は、以上のような欠点をなくするためになされたものである。
【課題を解決するための手段】
【０００４】（イ）楕円形袋の一部分をＶ字に切り込みハートの形に成形し、切り込んだ部分の頂点、    左右が両肩に当たるようにしたことによって頭の位置が決まり大変具合がよい。
（ロ）切り込み部分に厚みを持たせ、先端部分は、自然に厚みを減らす。
（ハ）枕の具材は、スポンジ、綿花、ポリエステル綿等にする。
本発明は、以上の構成よりなるハート型の枕である。
【発明の効果】
【０００５】  形成した枕は、場所により高さの変化があるので頭を乗せることで柔らかさ、硬さ、安心、快眠状態を覚え熟睡でき、朝の目覚めが爽快である。
寝付きの悪い人でも、寝付くのに時間短縮できる。
【発明を実施するための最良の形態】
【０００６】  以下、本発明を実施するための形態について説明する。
（イ）本体（１）の素材は、汗の吸水性の良い布を用い楕円形にし、中央部頂点をＶ字に    カット部（２）とし、袋状とする。
（ロ）カット部（２）の延長線部の切込先端部（３）切込先端部（４）を曲線状にカット    する。
（ハ）本体（１）の下部開口部（５）を設け、枕素材は、スポンジ、綿花、ポリエステル    綿等を詰め成形し、閉じ立体化する。
本発明は以上のように構成ある。
本発明を使用するときは、布団、ベッド等就寝用に、そして、ソファで横向きに寝たり、机、テーブルに置いての転寝などに用いる。
また、押入れに仕舞わずに、インテリアとして目に付く所に置いても可愛いく、場所を定めず使用できる。
ハートの形を上下反転することで、枕の高さを調節することができて、寝心地は大変良い。
大・中・と枕の大きさを揃えることで、大人だけでなく子供にも喜ばれる。
【図面の簡単な説明】
【０００７】
【図１】  本発明の斜視図である。
【図２】  本発明の正面図である。
【図３】  本発明の側面図である。
【図４】  本発明の平面図である。
【図５】  本発明の底面図である。
【符号の説明】
【０００８】      １  本体
２  切込部
３  切込先端部
４  切込先端部
５  下部開口部
【図１】
2010201134.tif 000003
【図２】
2010201134.tif 000004
【図３】
2010201134.tif 000005
【図４】
2010201134.tif 000006
【図５】
2010201134.tif 000007
(57)【要約】      （修正有）【課題】電動車椅子において、壁面との間隔を自動的に一定に保つ制御を行うことが出来る装置を提供する。【解決手段】電動車椅子において、距離センサ２を単体で用い測定した距離の測定値に対応するアナログ信号電圧と、設定したい距離に対応する参照電圧の差を、増幅器３に入れることで、自動的に両者の差がゼロになるように駆動輪５、６が差動回転し、車椅子の方向制御により、壁面１からの距離を一定に保って、移動することを可能にする新しい自動制御回路を用いる。【選択図】図１
2010201133.tif 000002
【特許請求の範囲】
【請求項１】
電動車椅子において、壁面との距離を一定に制御する装置
【発明の詳細な説明】
【技術分野】
【０００１】本発明は、電動車椅子の安定した駆動制御方式に関するものである。
【背景技術】
【０００２】電動車椅子は現在我が国で多数普及しており、これらは障害を持つ人にとってなくてはならない移動手段であるとともに、高齢化に伴い今後も増加すると予測される歩行困難者の移動を助けるために、その更なる普及が予想されている。その普及のカギは、価格とともに運転のしやすさにある。ところが、これまで年間２００件に上る交通事故が電動車椅子に関連して起きており、死亡事故も年間１０件近く発生している。そのような状況に鑑み、安定して移動が可能な電動車椅子の開発が望まれていた。その一つの解決法として、運転のしやすさのため電動車椅子が壁と一定の距離を持って動くことを可能にする装置が望まれていた。【０００３】移動物体を壁に対し平行に動かせる方法として、距離計センサを用いる方法が知られており、ロボットの自立的駆動法の一つとして重要な役割を果たしている。そのために用いられる距離計としてはレーザによる測距方式が使われることが多い。とくに、でこぼこした壁面に沿って移動するロボットを制御するためには、機械的にレーザビームを回転して、ファンビームを作り、その２次元的距離分布を用いて、ロボットの壁との距離を制御して駆動することがなされている。レーザ方式の特徴は、抜群の空間分解能にあるが、製品としては比較的高価である。一方、距離計として超音波を用いる方式もあり、▲１▼廉価である、▲２▼ビーム幅が広く、空間分解能が取れない、▲３▼レーザ方式に比べて明るい照明のところでも問題なく測距が可能であることが挙げられる。ロボットにおいて超音波素子を用いた、壁面から距離を保って移動させる方式が開発されている。一方、電動車椅子においても、すでに超音波を用いた距離計を利用した位置制御方法の開発が行われている。従来のこのような方式では、複数個の超音波距離計が用いられてきた。
【先行技術文献】
【特許文献】
【０００４】
【特許文献１】特開２００４−３２１７２２公報
【発明の概要】
【発明が解決しようとする課題】
【０００５】そこで、運転のしやすさのための新しい制御方式として、距離計を車いすに搭載して、その測定信号から車両が壁と一定の距離を持って動くことを可能にする装置を考案する。
【課題を解決するための手段】
【０００６】単一の距離計を用いて簡便に壁からの距離を一定に保ちつつ、移動体を動かすことができるものである。その原理を超音波距離計を用いた場合で説明する。測定図１は、移動体が壁面から一定の距離Ｌだけ離れて前進する場合の、間隔の制御方式を表したものである。
多くのジョイスティクを用いる電動車椅子では、その縦方向の傾斜は、２つの駆動モータの等速前進信号を発生し、横方向に傾斜させると、その量に応じて、２つの駆動モータの差の回転を発生することができる。なお、距離をレーザによって測定する場合も本発明の原理は同様であることは言うまでもない。
【発明の効果】
【０００７】従来の電動車椅子は、壁面からの距離を一定にして前後に移動できることができる。この方式の特徴は簡便な方法で、車椅子の安全を確保した運転ができることにあり、その際の距離は自由に設定可能である。
【図面の簡単な説明】
【０００８】
【図１】左側の壁に沿って進む場合の制御法（実施例１）
【図２】壁面との距離Ｌの制御回路（実施例２）
【発明を実施するための形態】
【０００９】以下に、本発明の実施の形態を説明する。
【実施例１】
【００１０】今、左の壁に沿って車椅子を走らせ、壁と車椅子の間隔を一定にする場合について述べる。
右側の壁からの距離を一定にして走行する場合は、この図を左右反対にして見ればよいことは言うまでもない。図１で測定した距離の測定値に対応するアナログ信号電圧と、設定したい距離に対応する参照電圧（これは可変することができる）の差を、図に示した増幅器に入れることで、自動的に両者の差がゼロになるように駆動輪１と２が差動回転し、車椅子の方向制御により、センサ地点での距離が一定になるように車椅子が移動する。この動きは、ジョイスティックの縦方向の移動とは無関係に決まるので、運転者は単に縦方向のジョイスティックを動かせることで、壁との距離を一定に保ちながら、思い通りの速度で移動することができる。【００１１】
【産業上の利用可能性】
【００１２】本発明によれば、電動車椅子において、運転のふらつきなく壁面から一定の距離を保って運転することが可能となる。それは電動車椅子の安全性につながり、高齢化時代を迎えた状況での電動車椅子の大量普及を促すことが期待できる。【００１３】１    壁面
２    距離計センサ
３    差動アンプ信号処理回路
４    電動モータ駆動回路
５    駆動輪１
６    駆動輪２
７    差動アンプ
８    電動モータ制御回路
【図１】
2010201133.tif 000003
【図２】
2010201133.tif 000004
(57)【要約】      （修正有）【課題】スシをテーマにした玩具でゲーム性を持ったものが少なく、かつ特別な説明書なしで楽しめる単純なものがないという不都合を解決すること。【解決手段】スシ玩具のネタに凸マーク、シャリに凹マークを彫り込み、それを合わせる事でゲーム性を持たせる。【選択図】図１
2010201139.tif 000002
【特許請求の範囲】
【請求項１】
スシをテーマとした玩具である。
【請求項２】
スシのネタとシャリが分割されており、それを１つのスシに組み立てることを楽しむ。
【請求項３】
ネタには凸の立体マーク、シャリには凹の穴があいており、それをあわせることでゲームをする。
【発明の詳細な説明】
【技術分野】
【０００１】本発明はパズルに関する物であり、題材をスシに求め、ゲームを楽しむ物である。
【背景技術】
【０００２】スシを題材にした玩具をパズルにした物。
【発明の開示】
【発明が解決しようとする課題】
【０００３】従来のスシの玩具は置物やミニチュア等がほとんどで、ゲームとして成立した物は無く、見た目の美しさに加え、ゲームとしても楽しめる玩具とすることを課題とする。
【課題を解決するための手段】
【０００４】この課題を解決するための請求項１の発明は、スシのシャリに凹、ネタに凸の立体マークをつけることでパズルとして楽しめる要素を持たせる事でゲームとして成立させる。
【発明の効果】
【０００５】本発明により、立体絵合わせゲームが楽しめる。
【発明を実施するための最良の形態】
【０００６】図１は、ネタのウラにワサビを模した凸の立体マークをつけ、シャリの上に凹の穴をあけ、２つを合わせて１つのスシに組み立てる事ができるようにした物である。【０００７】図２はシャリとネタを別々のオケにウラ返しに入れ、トランプの神経衰弱をする事を説明する図である。【０００８】図３はシャリとネタを一緒にオケに入れ、タイマーを使って制限時間内に何個組み立てられるかを競うゲームを説明する図である。
【産業上の利用可能性】
【０００９】本発明に係るスシパズルは工業的に量産する事が可能であるため、産業上の利用可能性を有する。
【図面の簡単な説明】
【００１０】
【図１】ネタのウラに凸の立体マーク、シャリの上に凹の穴をつけたスシパズルの構造を示す図である。
【図２】ネタとシャリを別々のオケに入れ、神経衰弱ゲームをする事を示した図である。
【図３】ネタとシャリを１つのオケに一緒に入れ、タイマーを使って制限時間内にいくつ組み上げるかを競うゲームを示した図である。
【符号の説明】
【００１１】１、ネタ
２、シャリ
３、立体マーク
４、シャリオケ
５、ネタオケ
６、とり皿
７、湯呑み型タイマー
【図１】
2010201139.tif 000003
【図２】
2010201139.tif 000004
【図３】
2010201139.tif 000005
(57)【要約】      （修正有）【課題】カーボン全般と特殊な水を攪拌することにより、電気エネルギーを抽出できるクリーン・パワー・ジェネレーターを提供する。【解決手段】廃タイヤまたは建築廃材及びその他付随するものを乾留し、炭素化したカーボンを主たる原材料とし、一般水道水又は地下水及びその他付随するものをアルカリ性に加工した水を混合攪拌し、電気エネルギーを抽出する。絶縁体樹脂容器１を使い、一切の動力及び燃料を使用しない発電装置である。【選択図】図１
2010245013.tif 000002
【特許請求の範囲】
本発明は、カーボン全般と特殊な水を攪拌することにより、電気エネルギーを抽出する発電装置。
カーボンとは廃タイヤ又は建築廃材等を乾留し、炭素化したもの。
水とは、一般水道水又は淡水等をアルカリ性に加工したもの。
【発明の詳細な説明】
【技術分野】本発明は、カーボンを主たる原材料とし、製作する発電装置で、従来のバッテリー等のように充電する必要がなく、リサイクル等の炭素物質で電気エネルギーを抽出出来るクリーン・パワー・ジェネレーターである。
【発明の概要】
加工したカーボンに、加工した水を加えることにより電気エネルギーが発生する。
【０００１】このカーボンとは、廃タイヤ又は建築廃材及びその他付随するものを乾留し、炭素化したもの。
【０００２】この水とは一般水道水又は地下水及びその他付随するものをアルカリ性に加工したもの。
【０００３】水と、カーボンを混合攪拌し、カーボン水を作成した物質、又はこのカーボン水をゲル状にして、電気エネルギーを抽出する。
【０００４】電極の間に上記不織布又はスポンジ、又はゲル状のカーボン水を加えることにより電気エネルギーを抽出できる。
【発明の効果】
【０００５】一切の動力及び燃料を使用しない発電装置のため、エコロジーに特化し、問題となっている炭酸ガスを発生しないと共に原料は環境に影響を与えず、リサイクルも可能である。
【図１】
2010245013.tif 000003
【手続補正書】
【提出日】平成21年6月25日(2009.6.25)
【手続補正１】
【補正対象書類名】特許請求の範囲
【補正対象項目名】全文
【補正方法】変更
【補正の内容】
【特許請求の範囲】
【請求項１】
カーボンと水を主たる原料とする発電装置
【手続補正２】
【補正対象書類名】明細書
【補正対象項目名】全文
【補正方法】変更
【補正の内容】
【発明の詳細な説明】
【技術分野】本発明は、カーボンを主たる原料として製作する発電装置で、従来のバッテリー等のように充電することも出来、リサイクル等の炭素物質で電気エネルギーを抽出出来るクリーン・パワー・ジェネレーターである。
【発明の概要】
カーボンに加工した水を加えることにより電気エネルギーが発生する。
【０００１】カーボンとは、廃タイヤ又は建築廃材及びその他付随するものを乾溜し、炭素化したもの
【０００２】特殊加工した水とは、一般水道水又は淡水及びその他付随するものを特殊加工したもの
【０００３】水３、カーボン２の割合で攪拌し、これを超臨界装置にかけ、高圧電流を同じにかけたものがカーボン水となる
【０００４】このカーボン水を不織布もしくはスポンジに沁み込ませる、又はこのカーボン水をゲル状にして、電気エネルギーを抽出する
【０００５】＋極、−極の間に上記不織布もしくはスポンジ、又はゲル状のカーボン水を加えることにより電気エネルギーを抽出する
【発明の効果】
【０００６】一切の動力、燃料及び有害化学物質を使用しない発電装置のため、エコロジーに特化し、現在問題となっている炭酸ガスを発生しない
【図面の簡単な説明】
【図１】概略図面（完成図）  発電装置の基本構造  平面図・立面図・側面図
【図２】部品図面−本体  平面図・立面図・側面図  各槽にカーボン水を沁み込ませた不織布・スポンジ又はゲル状のカーボン水を注入する
【図３】部品図面−天板  平面図・立面図・側面図  電気を取り出す導電材接続口
【図４】部品図面−フタ  平面図・立面図・側面図  各槽の導電材接続口
【手続補正３】
【補正対象書類名】図面
【補正対象項目名】全図
【補正方法】変更
【補正の内容】
【図１】
2010245013.tif 000004
【図２】
2010245013.tif 000005
【図３】
2010245013.tif 000006
【図４】
2010245013.tif 000007
(57)【要約】【課題】電導度が高く、電気化学的に安定な電気二重層キャパシタ用電解液を提供する。【解決手段】本発明は電解液は最高被占分子軌道エネルギーが−１０ｅＶ以下、最低空位分子軌道エネルギーが２ｅＶ以上である孤立電子対を有する化合物が、スピロビピロリジニウムテトラフルオロボレート、Ｎ−ブチル−Ｎ−メチルピロリジニウムテトラフルオロボレート、Ｎ−メトキシメチル−Ｎ−メチルピロリジニウムなどの溶質に配位して液化した化合物を主成分としており、電導度が高く、電気化学的酸化安定性、電気化学的還元安定性が高い。【選択図】  図１
2010245074.tif 000002
【特許請求の範囲】
【請求項１】
最高被占分子軌道エネルギーが最高被占分子軌道エネルギーが−１０ｅＶ以下、最低空位分子軌道エネルギーが２ｅＶ以上である孤立電子対を有する化合物が、溶質に配位して液化した化合物を主成分とする電気二重層キャパシタ用電解液。
【請求項２】
最高被占分子軌道エネルギーが最高被占分子軌道エネルギーが−１０ｅＶ以下、最低空位分子軌道エネルギーが２ｅＶ以上である孤立電子対を有する化合物が、１,３,５−トリオキサンである請求項１記載の電気二重層キャパシタ用電解液。
【請求項３】
溶質が、スピロビピロリジニウムテトラフルオロボレート、Ｎ−ブチル−Ｎ−メチルピロリジニウムテトラフルオロボレート、Ｎ−メトキシメチル−Ｎ−メチルピロリジニウムである請求項１〜２記載の電気二重層キャパシタ用電解液。
【発明の詳細な説明】
【技術分野】
【０００１】
この発明は、非水電解液を用いた電気二重層キャパシタ用電解液に関する。
に関する。
【背景技術】
【０００２】
電気二重層キャパシタは、例えばアルミニウムである金属箔の表面に分極性電極層（例えばカ−ボン層）を設けた分極性電極間にセパレ−タを介在させて巻回し、または積層したキャパシタセルに電解液を含浸し、このキャパシタセルを金属ケ−ス内に収納して、開口端部を密封した構造を有する。
【０００３】
以上の電気二重層キャパシタは、高容量で長期信頼性に優れたものが要求され、従来の電気二重層キャパシタの電解液に、プロピレンカーボネートなどのカーボネート系溶媒を使用することが行われている。これによれば、高容量で、しかも高温負荷に優れる電気二重層キャパシタを得ることができる。
【０００４】
このような電解液として、イオン性液体を用いる試みがある（特許文献１）。
【先行技術文献】
【特許文献】
【０００５】
【特許文献１】再表２００５−０６３７７３号公報
【発明の概要】
【発明が解決しようとする課題】
【０００６】
しかしながら、このようなイオン性液体は電導度が低いという問題点があった。そこで、電導度が高く、電気化学的に安定な電気二重層キャパシタ用電解液を提供することを目的とする。
【課題を解決するための手段】
【０００７】
上記の課題を解決するために、本発明の電気二重層キャパシタ用電解液は、最高被占分子軌道エネルギーが−１０ｅＶ以下、最低空位分子軌道エネルギーが２ｅＶ以上である孤立電子対を有する化合物が、溶質に配位して液化した化合物を主成分とすることを特徴とする。
【０００８】
そして、前記最高被占分子軌道エネルギーが−１０ｅＶ以下、最低空位分子軌道エネルギーが２ｅＶ以上である孤立電子対を有する化合物が、１,３,５−トリオキサンであることを特徴とする。
【０００９】
また、スピロビピロリジニウムテトラフルオロボレート、Ｎ−ブチル−Ｎ−メチルピロリジニウムテトラフルオロボレート、Ｎ−メトキシメチル−Ｎ−メチルピロリジニウムであるすることを特徴とする。
【発明の効果】
【００１０】
本発明は電解液は最高被占分子軌道エネルギーが−１０ｅＶ以下、最低空位分子軌道エネルギーが２ｅＶ以上である孤立電子対を有する化合物が、溶質に配位して液化した化合物を主成分としており、電導度が高く、電気化学的酸化安定性、電気化学的還元安定性が高い。
【図面の簡単な説明】
【００１１】
【図１】本発明の実施例に係るリニア・スィープ・ボルタンメトリー
【実施例】
【００１２】
本発明の実施例に係る発明を具体的に説明する。
（実施例１）
Ｎ-メトキシメチル-Ｎ-メチル-ピロリジニウムテトラフルオロボレート（Ｃ１３ＢＦ4）１０ｇと１,３,５−トリオキサン４．１５gを混合させて２５℃で攪拌することで１,３,５−トリオキサンが液化し、電解質濃度が５０ｍｏｌ％の電解液を得た。２５℃における電気伝導率は１３．６ｍＳ／ｃｍであった。得られた電解液に作用電極としてグラッシーカーボン基板（０．０７ｃｍ２）、対極としての白金、参照極としての銀／硝酸銀電極を挿入し、リニア・スィープ・ボルタンメトリー（ＬＳＶ）の測定を行った。電位走査速度は２ｍＶｓ−１とした。
（実施例２）
スピロビピロリジニウムテトラフルオロボレート（ＳＢＰＢＦ4）１０ｇと１,３,５−トリオキサン６．３１ｇを混合させて２５℃で攪拌することで液化し、電解質濃度が４０ｍｏｌ％の電解液を得た。２５℃における電気伝導率は１６．１ｍＳ／ｃｍであった。得られた電解液を実施例５と同様の手法でリニア・スィープ・ボルタンメトリーの測定を行った。
（実施例３）
Ｎ−ブチル−Ｎ−メチルピロリジニウムテトラフルオロボレート（ＢＭＰＢＦ4）１０ｇと１,３,５−トリオキサン３．９２gを２５℃で攪拌することで液化し、電解質濃度が５０ｍｏｌ％の電解液を得た。２５℃における電気伝導率は１２．５ｍＳ／ｃｍであった。得られた電解液を実施例５と同様の手法でリニア・スィープ・ボルタンメトリーの測定を行った。
（比較例）
１．０Ｍのテトラエチルアンモニウムテトラフルオロボレート（ＴＥＡＢＦ4）のプロピレンカーボネート（ＰＣ）溶液の２５℃における電気伝導度は１２．１ｍＳ／ｃｍであった。この溶液を実施例５と同様の手法でリニア・スィープ・ボルタンメトリーの測定を行った。
実施例、比較例のリニア・スィープ・ボルタンメトリーを図１に示す。以上のように実施例の電解液は電気伝導度が高く、また、図１からわかるように、実施例の電気化学的安定性は高い。
【図１】
2010245074.tif 000003
(57)【要約】      （修正有）【課題】太陽電池は、光が強くなれば多く発電し、光が弱くなれば発電が減少し、光がなくなれば電圧も電流も０になる。発電パネルの正面に光の当たる昼に向かって電流は増え、西に陽が傾くにつれ減っていく。昼の時間帯以外でも多く発電するように、発電パネルを太陽に向かって傾斜できるように操作できる装置を提供する。【解決手段】１，発電パネルを固定しないで、朝日も夕日も受けて、常に効率のよい発電ができるように、太陽の光に向けて傾斜する操作をする。２，朝の７時３０分から午後１６時３０分の１０時間の間、電動で運行を操作する。３，発電パネルは、太陽の光の照射角度に応じた向きに会うように、毎日朝の操作時にパネルの傾斜角度を上げ下げ調整する。４，時を刻む歯車は、電動時計をもとにして製作する。歯車の動きを受けながらパネルを傾斜運行させる。【選択図】なし【特許請求の範囲】
【発明の詳細な説明】
【技術分野】電気部門
【背景技術】太陽光発電
【発明の開示】
１，太陽光採光発電装置は、発電するパネルを太陽の光に向けて、効率のよい発電ができるように操作する装置。２，時を刻む歯車は、朝、昼、夕、と時刻に電動で動き、効率のよい発電ができるように操作する装置。
【発電が解決しょうとする課題】
１，太陽の光の照射角度に応じ光の角度に応じ向き会うように、パネルを傾斜操作する。２．７時３０分から１６時３０分までの時間帯の太陽光による電流の発生が約６０パーセント強ですが、パネルを傾斜して向きを変えるように操作すると、約８０パーセントに達するようになると予想される。
【課題を解決するための手段】
１，パネルを固定しないで、朝日と夕日もうけて、効率よく採光できるように、パネルを太陽の光に向けて傾斜するように、電動で日中１０時間の運行を操作する。２，パネルの前部は、太陽の光の照射角度に応じた向きに会うように、毎日朝の操作時にパネルの傾斜角度を上下に調整する。３，時を刻む歯車は、電動時計をもとにして製作する。特に精巧なものを作る必要はない、安価なものでよい。写真説明４に示したように、歯車の動きをうけて、パネルを傾斜運行させる紺色の帯には、１０の窓を作る。
【図面の簡単な説明】［説明図面］１，３頁は、パネルの前部は上下に傾斜操作できるように作る。            ２，４頁は、時を刻む歯車で、電動時計による時間を表す部分を歯車に変える。
【図１】
2010245490.tif 000002
【図２】
2010245490.tif 000003
【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
太陽光採光発電装置は、発電するバネルを常時太陽の光に向き合うように、傾斜操作して、効率良く発電するように、操作できる装置。
【請求項２】
時を刻む歯車は、朝・昼・夕・と常に時刻を、電動で動き効率の良い発電ができるように操作する装置。
【手続補正２】
【補正対象書類名】明細書
【補正対象項目名】全文
【補正方法】変更
【補正の内容】
【発明の詳細な説明】
【技術分野】電気部門
【背景技術】太陽光発電
【発明の開示】
１、太陽光採光発電装置は、発電するパネルを太陽の光に向けて、効率のよい発電ができるように傾斜操作する装置。
２、時を刻む歯車は、朝・昼・夕・と時刻に電動で動き、効率のよい発電ができるように操作する装置。
【発電が解決しようとする課題】
１、太陽の光の照射角度に応じ光の角度に応じ向き合うように、パネルを傾斜操作する。
２、７時３０分から１６時３０分までの時間帯の太陽光による電流の発生が約６０パ−セント強ですが、パネルを傾斜して向きを変えるように操作すると、約８０パ−セントに達するようになると予想される。
【課題を解決するための手段】
１、パネルを固定しないで、朝日と夕日も受けて、効率よく採光できるように、パネルを太陽の光に向けて傾斜するように、電動で日中１０時間の運行を操作する。
２、パネルの前部は、太陽の光の照射角度に応じた向きに合うように、毎日朝の操作時にパネルの傾斜角度を上下に調整する。
３、時を刻む歯車は、電動時計をもとにして製作する。特に精巧なものを作る必要はない、安価なものでよい。写真説明４に示したように、歯車の動きを受けて、パネルを傾斜運行させる紺色の帯には、１０の窓を作り歯車の歯先が入るようにする。
【図面の簡単な説明】
【図１】パネル本体の断面図及び製作図である。パネルの前部は上下に傾斜操作できるようにつくる。パネルの横幅での重心は中心より５ミリ西側に寄せて取り付ける。時を刻む歯車の自動操作に動き安い状態にする。
【図２】パネル本体を電動で自動的に動かす装置である。時を刻む歯車は、電動時計による時間を表す部分を歯車に変えるように製作する。
(57)【要約】【課題】太陽光利用の発電を、太陽が出ていないときでも出来るような、安価で容量の大きい、蓄熱方法を提供し。太陽光発電の利用度を高める。【解決手段】大地の一定部分を断熱壁で被い、そこに、水の沸点以下の温度で熱エネルギーを保存、それを晴れていない日に取り出し、温度差発電に利用する。【特許請求の範囲】
【請求項１】
大地の一定部分を、人工的断熱層で、熱的に遮断し、その部分を、太陽光集熱による熱源で水の沸点以下の温度範囲で畜熱、あるいは冬の夜間の冷たい大気の冷畜熱体としてもう一つの同様な大地を用いるこという熱ダム機能を備えたことを特徴とする太陽熱利用の温度差発電装置。
【発明の詳細な説明】
【技術分野】
【０００１】      本発明は、集熱した熱を蓄熱する方法を備えた太陽光利用発電装置に関する。
【背景技術】
【０００２】        当出願人による大地反射鏡等による集熱発電は、太陽が出ているときの発電に限      られていた。
【発明の開示】
【発明が解決しようとする課題】
【０００３】        夜間や、曇りの日、あるいは１週間と言うような長期間太陽が、出ていないとき      でも、太陽エネルギーによる発電を可能にしたい。また太陽の出ているときでも、      太陽の高度等により、得られるエネルギー量が大きく変動し、これは、発電機を回      す際の、変換効率を悪くする。また温度差発電のため、冬場などは、冷却側は１８      度もある地下水使用は無駄で、もっと零度に近い温度にして使いたい。
【課題を解決するための手段】
【０００４】      大地そのものを蓄熱体として使う。台地の一区画を下側も、横も、上面も人工的に      断熱壁で被い、そこの中に、配管や、穴などを多数設け、熱の出し入れを容易にす      る。しかも蓄熱最高温度は、水の沸点以下とする。
一方もう一つの冬場しか使わない、低温保存のほうでは、夜間大気全体から、送風機によ      って、低温大気を強制的に、送り込み、低温大地、氷結大地のようにして、それを      発電の冷却側に使用する。
これらは大地をそのまま利用し、大量のエネルギーをそこに貯蔵すると言うことで、熱ダ      ムと命名する。そしてこの用途は、太陽光集熱方式の温度差発電等に、最適なもの      である。いったん電気にしたものを揚水発電のように、また熱にして、この熱ダム      に貯めるのにはあまり適さない。
断熱壁の作り方は、いくらでも考えられるので、ここでは取り上げない。
【発明の効果】
【０００５】  安価に大量のエネルギーを保存でき、大規模なものでは、週変動などもなくすことが出      来る。規模が大きいほど、体積と表面積の関係で、保存性能が上がり、断熱壁部分      を簡素化出来る。沸点以上にしないため、圧の心配がなく、蒸気としてもれにくい      。
大地は水分を含んでいるが、それは土に吸収されている程度なので、壁の隙間などから      漏れることも少ない。これはプールなどと大きく異なる。壁の両側が大地なので、      地表に作るような強度が必要ない。
【発明を実施するための最良の形態】
【０００６】        １０ｍ３程度の小さなものでは、穴を掘り、自由に配管、断熱壁を作った後、埋      め戻して、しまうと言う方法が取れる。高温蒸気のまま、いくつもの分岐管に別れ      、お湯となって最下部で収集、それをくみ上げ、太陽光加熱部に持っていくという      方法も取りやすい。熱を取り出し方は、高温空気として取り出す方法と水を過熱さ      せ高温水として取り出す方法がある。
しかし１０００〜数十万立方メートルとなると、土を全部、一旦、取り出すのは、大      変なことで、側壁の部分だけ順次掘り込んで、断熱材を施工していくという方法に      なる。
最も難しい、下側は、トンネルを掘り、その部分だけ施工、その隣にまた、前のト      ンネルを埋め戻しながら、次のトンネルを掘るということの繰り返しをする。
深さ数十メートルと言うようになると、ややこしい配管が難しくなるので、単なる鉛      直立穴を、多数設け、空気の循環を図るため、最下部開放の２重管にするか、菅あ      るいは穴の中に下部解放の仕切り板を入れる。熱気、冷気は強制的に循環させる。      この場合、下部に水がたまらないように、熱蒸気は直接送り込まず、熱交換した、      乾いた熱気を送るようにする。循環が出来なくなるからである。冷大気の送り込み      により、水滴や氷となったものが、もし下部にたまるようなときは、定期点検で、      小型くみ出しポンプを吊るしいれ、排水する。熱の取り出しは、空気によるほうが      、面倒がおきにくい。
(57)【要約】      （修正有）【課題】側溝を基礎地盤上にずれることなく簡便に配置できる構造を提供する。【解決手段】側溝の左右両側の側壁５を浮かせるように構成された梯子状の桁部材３を持つコンクリート製残置型枠を基礎地盤上に配置し、生コンを側溝の内側、及び外側から打設する事によって、基礎コンクリートと側溝の底版部、並びに、基礎コンクリートと側溝の本体を堅固な一体構造とする。この構造により、基礎地盤上に側溝を安定で簡便に配置できる。【選択図】図２
2010150902.tif 000002
【特許請求の範囲】
【請求項１】
プレキャストＵ形側溝や管渠形側溝の両側、並びに、自由勾配側溝の内側と外側を連通させるべく側溝を浮かせる機能を持たせた梯子状のフレームを基礎地盤上に配置し、生コンを側溝の内側、及び外側から打設する事によって、基礎コンクリートと側溝の底版部、並びに基礎コンクリートと側溝の本体が一体構造となるべく構成されたコンクリート製残置型枠。
【請求項２】
梯子状フレームの２本の縦貫材に直交して、これに構造用鉄筋を納める条溝を有してなる請求項１のコンクリート製残置型枠。
【発明の詳細な説明】
【技術分野】
【０００１】  本発明は、自由勾配側溝など本体に底面構造を有しないプレキャスト製品を基礎コンクリート上に構築する施工工程や、プレキャスト側溝を利用したＬ型擁壁の底版を場所打ちで構築するための施工工程に提供される。
【背景技術】
【０００２】  従来、自由勾配側溝の施工にあっては、あらかじめ場所打ちされた基礎コンクリート上に側溝を設置して、その内部にコンクリートを流し込む事によって底面構造を創製していた。  また、側溝を縦壁として利用したＬ型擁壁の構築にあっては、側溝側面からアンカーをとり、鉄筋を配置し、コンクリートを打設する事によって、場所打ちフーチング（底版）を形成する方法と、プレキャスト化されたフーチング材と側溝をボルト等で接合させるなどの方法がとられていた。
【発明の開示】
【発明が解決しようとする課題】
【０００３】  本発明が解決しようとする課題は、自由勾配側溝の構築を例にとると、従来技術では、底版を形成すべく溝内部に流し込まれたコンクリートと、既に硬化している基礎コンクリートとの境界面に発生するコールドジョイント（付着が充分でない打ち継ぎ目）を避けられないばかりか、載荷状態では側溝の構造材である縦壁が、外側にずれようとする動きを制御できないため、安定計算に与えられた初期条件を満たす施工方法がとられていたとは言えなかった。
また、側溝を利用したＬ型擁壁の構築にあっては、フーチングを場所打ちするためのアンカー鉄筋の取り付けに多くの手間がかかっていた。  さらにプレキャストフーチング材を採用した場合でも、基礎地盤の転圧や、敷きモルタル作業が確実に施工されないと、側溝とフーチング材が別々な挙動をとるため、応力集中しやすい接合部材が破損するケースも散見され、その対策には高度な解析を必要とし、接合部の防錆対策も充分と言えなかった。
【課題を解決するための手段】
【０００４】  上記課題を解決するための技術的手段は、側溝の左右両側、及び自由勾配側溝の内側と外側が連通できるよう、側溝を浮かせるように構成された梯子状のフレームを持つコンクリート製残置型枠を基礎地盤上に配置し、生コンを側溝の内側、及び外側から打設する事によって、基礎コンクリートと側溝の底版部、並びに、基礎コンクリートと側溝の本体を堅固な一体構造とさせることができるので、自由勾配側溝における構造計算の初期条件が満たされる他、Ｌ型擁壁の安定計算も成立させることができる。  さらに当該型枠にはフーチングに必要な構造用鉄筋を、防錆に有効とされるかぶり厚さの確保ができ、簡便に配置できるような機能も施されている。
【発明の効果】
【０００５】  コンクリート製残置型枠の外側をなすアングル状構造物が堰としての型枠機能を、また、それを結ぶ桁部材が側溝を基礎地盤から浮かせる機能を有しているので、この上に自由勾配側溝を置き、生コンクリートを所定量打設するだけで一連の作業が完了するため、基礎コンクリートを成形するための型枠作業が省略される他、基礎コンクリートの硬化を待つ時間が省略され、通常２日間かかる作業が１日で済み、工期の短縮につながるばかりか、構築物が一体構造となり、耐久性の向上や構造設計条件との整合化に寄与するなど、現場での合理的なコスト縮減には有用性の高いものである。  また、側溝を利用したＬ型擁壁の構築にあっても同様の効果が実現される。
【実施例】
【０００６】  以下、本発明の実施の形態について図面を用いて説明する。図１に於いて１は断面がＬ型をなすレール状型枠材、２は間詰めコンクリートの部材厚さを保持し、施工中に側溝がずれないようにするスペーシング部位、３は側溝を浮かせて保持する桁部材、４は構造用鉄筋を収める条溝、図２に於いて５は自由勾配側溝、図３に於いて６は注入された生コンクリート、７は基礎をなす砕石、８は構造用鉄筋を示す。
【図面の簡単な説明】
【０００７】
【図１】本発明の全体斜視図及び断面図を示す。
【図２】図１に自由勾配側溝を設置したときの斜視図を示す。
【図３】図２を用いて施工した場合の断面図を示す。
【符号の説明】
【０００８】１      基礎コンクリートの型枠機能有するＬ状骨組みフレーム
２      間詰めコンクリートの部材厚を保持する部位
３      側溝を浮かせておく桁部材
４      構造用鉄筋を収める条溝
５      側溝の側壁
６      一体成形された基礎、並びに底版コンクリート
７      基礎砕石地盤
８      フーチングの構造用鉄筋
【図１】
2010150902.tif 000003
【図２】
2010150902.tif 000004
【図３】
2010150902.tif 000005
(57)【要約】【課題】  この発明は  幅の広い伸縮素材と幅のせまい伸縮素材にマジックテープ（登録商標）をつけ、幅の広い伸縮素材と幅のせまい伸縮素材をＴ字状につけて中手指節関節の運動制限をする制限具である。【解決の手段】  幅の広い伸縮素材（ア）にマジックテープ（登録商標）（イ）をつけた物と幅のせまい伸縮素材（ウ）にマジックテープ（登録商標）（イ）をＴ字形につけ手関節より中手指節関節から指関節に巻き中手指節関節の運動制限をする運動制限具である【選択図】図１
2010150730.tif 000002
【特許請求の範囲】
【請求項１】
幅の広い伸縮素材にマシックテープ（登録商標）をつけた物と幅のせまい伸縮素材にマジックテープ（登録商標）をＴ字形に付け手関節より指節関節に巻き中手指節関節の運動制限をする制限具である。
【発明の詳細な説明】
【発明の詳細な説明】
この発明は幅の広い伸縮素材（ア）にマジックテープ（登録商標）（イ）をつけた物に幅のせまい伸縮素材（ウ）にマジックテープ（登録商標）（イ）をＴ字状につけ幅の広い伸縮素材（ア）を手関節に幅の狭い伸縮素材（ウ）を中手関節より指関節に巻き中手指節関節の運動を制限する運動制限具である。これほと簡単に運動を制限し関節を保護するものは今までなかった。
【図面の簡単な説明】
【図１】  本発明の正面図である
【符号の説明】
（ア）幅の広い伸縮素材、（イ）マジックテープ（登録商標）
（ウ）幅のせまい伸縮素材
【図１】
2010150730.tif 000003
(57)【要約】      （修正有）【課題】蒸れたりせず、股ずれを起こしにくい男性用補助下着を提供する。【解決手段】円形にタスキを縫い合わせ、その中に男性の局部を入れ、身体の前後からウエストのゴムをもってそのタスキを上に引き上げるようにし、男性の局部には絶えずタスキに挟み込まれる力が働くようにした男性用補助下着。【選択図】図１
2010150740.tif 000002
【特許請求の範囲】
【請求項１】
円形にタスキを縫い合わせ、その中に男性の局部を入れ、身体の前後からウエストのゴムをもってそのタスキを上に引き上げるようにし、男性の局部には絶えずタスキに挟み込まれる力が働くようにした男性用補助下着。
【発明の詳細な説明】
【技術分野】
【０００１】
本発明は、男性用補助下着に関するものである。
【背景技術】
【０００２】
男性器は蒸れたり、股ずれしやすく、様々な人が色々な対処法を考えてきた。それには、男性器自体をポケットに入れてしまう下着（特許文献１）や、大腿と陰嚢の間に仕切り布を設けた下着（特許文献２）などがある。
【特許文献１】実用新案出願平０４−０１２９３３号公報
【特許文献２】特許公開２００３−１４７６０２号公報
【発明の開示】
【発明が解決しようとする課題】
【０００３】
そのために、次のような問題点があった。
(イ)     
男性器は蒸れて、皮膚病に罹りやすく、太り気味の人は陰嚢と太ももの付け根が擦れて股ずれを起こしやすかった。
(ロ)     
男性器自体をポケットに入れてしまう下着の場合は、身体を動かすとポケットから男性器が外れ易かった。
(ハ)     
大腿と陰嚢の間に仕切り布を設けた下着の場合は、身体の動きによっては仕切り布が身体から離れて仕切り布の役割を果たせなかった。
本発明は以上の問題点を解決しようとするものである。
【課題を解決するための手段】
【０００４】
タスキを円形に縫い合わせ、その中に男性の局部を入れ、身体の前後からそのタスキを引き上げるようにし、男性の局部には絶えずタスキに挟み込まれる力が働くようにした男性用補助下着である。
【発明の効果】
【０００５】
タスキを円形に縫い合わせ、その中に男性の局部を入れ、身体の前後からそのタスキをウエストのゴムをもって引き上げるようにし、男性の局部には絶えずタスキに挟み込まれる力が働くようにした男性用補助下着の為、身体の個人差にも良く対応し、また身体の動きにも良く対応する。
また、暑かったら伸び、寒かったら縮む、陰嚢の本来の機能を阻害しない。
【発明を実施するための最良の形態】
【０００６】
以下、本発明の実施の形態を説明する。
(イ)タスキ（２）を円形に縫い合わせる。
(ロ)ひも（３）をタスキ（２）に取り付ける。
(ハ)ウエストのゴム（１）の身体のそれぞれ前後中央に当たる所に、タスキ（２）を引き上げる為のひも（３）の長さを調節するバックル（４）を取り付ける。
(ニ)ひも（３）をバックル（４）に通す。
(ホ)タスキ（２）の陰茎（６）と陰嚢（７）の間に当たる位置に仕切り布（５）を取り付ける。
(ヘ)タスキ（２）の陰嚢（７）の両脇に、内部に吸水機能を兼ねた緩衝材（８）を縫い込む。
(ト)タスキ（２）の陰嚢（７）の両脇に、垂れ幕（９）を取り付ける。
本発明は以上のような構成よりなっている。
【０００７】
本発明を使用するときは、トランクスなどの下に使用する。或いは、トランクスなどのウエストのゴムの部分にバックル（４）を取り付けて使用することもできる。本発明はタスキ（２）を円形に縫い合わせ、その中に男性の局部を入れ、身体の前後からそのタスキ（２）のひも（３）をウエストのゴム（１）に取り付けられたバックル（４）に通し長さを調節し引き上げて使用することもできる。
【０００８】
この為、円形のタスキ（２）はウエストのゴム（１）に依り、絶えず上に引き上げられた状態になり、それで男性の局部は絶えずタスキ（２）に挟み込まれる力が働き、タスキ（２）が身体から離れてしまうということがない。また、男性の局部周辺のタスキ（２）の内部には吸水機能を兼ねた緩衝材（８）を縫い込むこともでき、蒸れ等を防ぎ快適である。
【０００９】
また、股ずれ防止の為には、タスキ（２）の陰嚢（７）の両脇に、垂れ幕（９）を取り付けることもでき、陰嚢（７）が伸びた状態の時でも、陰嚢と太ももが擦れず股ずれを起こさないようになっている。
【００１０】
従って、太っているとか痩せているとか或いは局部の大小など身体の個人差に良く対応し、またスポーツなど身体の動きにも良く対応する。そして、暑かったら伸び、寒かったら縮む、陰嚢（７）の本来の機能を阻害しない。
【００１１】
そして、陰茎（６）と陰嚢（７）の密着を防ぐ為に、仕切り布（５）を取り付けることもでき、その両者の密着による不快感や陰嚢湿疹などの皮膚病も防ぐことができるようになっている。また、仕切り布に女性用の薄い生理用品のような吸水シートを張り付ければ乾燥感があって快適である。
【００１２】
仕切り布（５）と垂れ幕（９）を一体化し、１枚の布で済ますこともできる。
【図面の簡単な説明】
【００１３】
【図１】本発明の斜視図
【図２】本発明の実施例の分解斜視図
【図３】本発明の実施例の使用状態を示す斜視図
【符号の説明】
【００１４】
１  ウエストのゴム      
２  タスキ
３  ひも
４  バックル  
５  仕切り布
６  陰茎
７  陰嚢
８  緩衝材
９  垂れ幕
【図１】
2010150740.tif 000003
【図２】
2010150740.tif 000004
【図３】
2010150740.tif 000005